(57)【特許請求の範囲】
【請求項１】
透液性表面シートと、裏面シートとの間に吸収体が介在され、後側部分に吸収体よりも外方に位置するヒップホールド用フラップを有するとともに、このヒップホールド用フラップの外面側に粘着剤層を備えた吸収性物品において、
前記吸収性物品の後側部分において、前記透液性表面シートの上面側に体液排出部側に開口するポケット空間を形成するためのポケットシートが設けられ、かつ前記ポケットシートに対し前記ポケット空間を開口させるための開口用弾性伸縮部材を設け、該開口用弾性伸縮部材は、吸収性物品の略長手方向に沿って、幅方向中央に１条配設された弾性伸縮部材とされるとともに、前記ポケットシートの中央部分に折り畳み部分を形成し、この折り畳み部分の間に前記開口用弾性伸縮部材を介在させた状態で対向面同士をホットメルト接着剤によって接着することにより配置され、かつ前記開口用弾性伸縮部材は前記折り畳み部分の範囲内で下側に凸となる曲線で配置され、
前記ポケットシートの幅方向両端部分は、前記ヒップホールド用フラップと接着され、かつ該ヒップホールド用フラップ上から起立するようにしてあるとともに、平面視で前記ポケットシートと前記ヒップホールド用フラップとの接着領域は前記粘着剤層と重なっていることを特徴とする吸収性物品。
【請求項２】
前記ポケットシートは、前記吸収性物品の後側部分の外形線と一致する周部側外形線及び吸収性物品幅方向を横断する開口側外形線によって画成される形状寸法とされる請求項１記載の吸収性物品。
【請求項３】
前記吸収性物品は、表面側両側部に少なくとも体液排出部を含むように前後方向に所定の区間内において表面側に起立する左右一対の立体ギャザーを備え、前記ポケットシートの開口側外形線は前記立体ギャザーの起立区間の後端近傍に位置するようにしてある請求項１〜２いずれかに記載の吸収性物品。
【請求項４】
前記ポケットシートは前記ポケット空間の平面形状が開口側で幅広となる台形状となるように接着されている請求項１〜３いずれかに記載の吸収性物品。
【発明の詳細な説明】
【技術分野】
【０００１】
本発明は、経血やおりものなどを吸収するための生理用ナプキン、パンティライナー、失禁パッド等の吸収性物品、詳しくは吸収性物品の後側部分において、体液排出部側に開口するポケット空間を形成するためのポケットシートが設けられた吸収性物品に関する。
【背景技術】
【０００２】
従来より、パンティライナー、生理用ナプキン、失禁パッドなどの吸収性物品として、ポリエチレンシートまたはポリエチレンシートラミネート不織布などの不透液性裏面シートと、不織布または透液性プラスチックシートなどの透液性表面シートとの間に綿状パルプ等からなる吸収体を介在したものが知られている。
【０００３】
この種の吸収性物品にも幾多の改良が重ねられ、体液漏れ等を防止するための手段が種々講じられている。例えば、近年、吸収性物品の後側部分において、体液排出部側に開口するポケット空間を形成するための防漏シートを設けた吸収性物品が提案されている。
【０００４】
たとえば、下記特許文献１では、図１７に示されるように、液透過性を有する表面シート５１、液不透過性を有する裏面シート５２、及び液保持性を有し表面シート５１及び裏面シート５２の間に介在し且つ防漏溝５３により表面シート５１と部分的に一体化した吸収体５４を備え、前記表面シート５１の両側部には、防漏壁５５が伸縮自在に設けられ、防漏壁５５は、表面シート５１の前方部から後方部に亘って配された基壁部と、表面シート５１に接近又は離間した状態で基壁部の上部を覆う帯状伸縮部５６とからなり、かつ前記表面シート５１の後方部に、帯状伸縮部５６に接合して表面シート５１との間に袋状空間を形成するための防漏シート５７が設けられた吸収性物品５０が開示されている。
【特許文献１】特開２００４−３３７３１４号公報
【発明の開示】
【発明が解決しようとする課題】
【０００５】
しかしながら、前記特許文献１に記載される防漏シートの場合、防漏シート５７と表面シート５１との間に開口が形成された状態であれば、後方に流れる体液を確実に捕捉することができるけれども、防漏シート５７が身体に押されて潰れた状態になってしまうと、袋状空間の開口が閉鎖された状態となってしまい、体液が防漏シート５７の開口縁を越流してしまい、後漏れが生じてしまうなどの問題があった。
【０００６】
そこで本発明の主たる課題は、吸収性物品の後側部分において、前記透液性表面シートの上面側に体液排出部側に開口するポケット空間を形成するための防漏シートを設けるに当たり、前記ポケット空間を開口させる手段を設けることで前後漏れする体液を確実に捕捉することにある。
【課題を解決するための手段】
【０００７】
前記課題を解決するために請求項１に係る本発明として、透液性表面シートと、裏面シートとの間に吸収体が介在され、後側部分に吸収体よりも外方に位置するヒップホールド用フラップを有するとともに、このヒップホールド用フラップの外面側に粘着剤層を備えた吸収性物品において、
前記吸収性物品の後側部分において、前記透液性表面シートの上面側に体液排出部側に開口するポケット空間を形成するためのポケットシートが設けられ、かつ前記ポケットシートに対し前記ポケット空間を開口させるための開口用弾性伸縮部材を設け、該開口用弾性伸縮部材は、吸収性物品の略長手方向に沿って、幅方向中央に１条配設された弾性伸縮部材とされるとともに、前記ポケットシートの中央部分に折り畳み部分を形成し、この折り畳み部分の間に前記開口用弾性伸縮部材を介在させた状態で対向面同士をホットメルト接着剤によって接着することにより配置され、かつ前記開口用弾性伸縮部材は前記折り畳み部分の範囲内で下側に凸となる曲線で配置され、
前記ポケットシートの幅方向両端部分は、前記ヒップホールド用フラップと接着され、かつ該ヒップホールド用フラップ上から起立するようにしてあるとともに、平面視で前記ポケットシートと前記ヒップホールド用フラップとの接着領域は前記粘着剤層と重なっていることを特徴とする吸収性物品が提供される。
【０００８】
上記請求項１記載の発明では、ポケットシートに対し前記ポケット空間を開口させるために、開口用弾性伸縮部材を設けるようにするものであり、前記ポケット空間の開口手段により、ポケット空間を開口させた状態に維持することができるため、後方向に流れる体液を確実に捕捉できるようになる。
【０００９】
前記開口用弾性伸縮部材は、吸収性物品の略長手方向に沿って、幅方向中央に１条配設された弾性伸縮部材とされるとともに、前記ポケットシートの中央部分に折り畳み部分を形成し、この折り畳み部分の間に前記開口用弾性伸縮部材を介在させた状態で対向面同士をホットメルト接着剤によって接着することにより配置され、かつ前記開口用弾性伸縮部材は前記折り畳み部分の範囲内で下側に凸となる曲線で配置されている。従って、ポケット空間を開口させることができる。
【００１０】
また、前記ポケットシートの幅方向両端部分を吸収性物品の側部に形成されたヒップホールド用フラップの上面から起立させることにより、ポケット空間を大きく形成できるとともに、フラップ部分のヨレやめくれを防止できるようになる。
【００１１】
請求項２に係る本発明として、前記ポケットシートは、前記吸収性物品の後側部分の外形線と一致する周部側外形線及び吸収性物品幅方向を横断する開口側外形線によって画成される形状寸法とされる請求項１記載の吸収性物品が提供される。
【００１２】
上記請求項２記載の発明は、ポケットシートの形状寸法を規定したものである。ポケットシートの形状寸法は吸収性物品の後側部分において、前記透液性表面シートの上面側に体液排出部側に開口するポケット空間を形成し得るものであればよいが、製造手順の点からはポケットシートを吸収性物品の表面に貼り合わせた後、吸収性物品の外形線で切断するのが望ましいため、上記形状とするのが望ましい。また、ポケットシートの幅方向両端部分を外形線と一致させることにより、吸収体より外側の側部フラップ部分においてヨレやめくれを防止できるようになる。
【００１３】
請求項３に係る本発明として、前記吸収性物品は、表面側両側部に少なくとも体液排出部を含むように前後方向に所定の区間内において表面側に起立する左右一対の立体ギャザーを備え、前記ポケットシートの開口側外形線は前記立体ギャザーの起立区間の後端近傍に位置するようにしてある請求項１〜２いずれかに記載の吸収性物品が提供される。
【００１４】
請求項４に係る本発明として、前記ポケットシートは前記ポケット空間の平面形状が開口側で幅広となる台形状となるように接着されている請求項１〜３いずれかに記載の吸収性物品が提供される。
【発明の効果】
【００１５】
以上詳説のとおり本発明によれば、吸収性物品の後側部分において、前記透液性表面シートの上面側に体液排出部側に開口するポケット空間を形成するためのポケットシートを設けるに当たり、前記ポケットシートに対しポケット空間を開口させる開口用弾性伸縮部材を配設したため、前記ポケット空間を開口させた状態に維持することができるため、後方に流れる体液をポケット空間で確実に捕捉可能となる。
【発明を実施するための最良の形態】
【００１６】
以下、本発明の実施の形態について図面を参照しながら詳述する。
【００１７】
〔生理用ナプキン１の基本構造〕
図１は本発明の第１形態例に係る生理用ナプキン１の展開図であり、図２は図１のII−II線矢視図、図３は図１のIII−III線矢視図、図４は図１のIV−IV線矢視図である。
【００１８】
前記生理用ナプキン１は、ポリエチレンシートなどからなる不透液性バックシート２と、経血やおりものなどを速やかに透過させる透液性トップシート３と、これら両シート２，３間に介装された綿状パルプまたは合成パルプなどからなる吸収体４、６と、この吸収体４の形状保持および拡散性向上のために前記吸収体４を囲繞するクレープ紙５と、前記吸収体４の略側縁部を起立基端とし、かつ少なくとも体液排出部Ｒを含むように前後方向に所定の区間内において表面側に突出して設けられた左右一対の立体ギャザーＢＳ、ＢＳとから主に構成され、かつ前記吸収体４の周囲においては、その上下端縁部では前記不透液性バックシート２と透液性トップシート３との外縁部がホットメルトなどの接着剤やヒートシール等の接着手段によって接合され、またその両側縁部では吸収体４よりも側方に延出している前記不透液性バックシート２と、前記立体ギャザーＢＳを形成しているサイド不織布７とがホットメルトなどの接着剤やヒートシール等の接着手段によって接合され、これら不透液性バックシート２とサイド不織布７とによる積層シート部分によって側方に突出するウイング状フラップＷ、Ｗが形成されているとともに、これよりも臀部側に位置する部分に第２ウイング状フラップ（ヒップホールド用フラップ）ＷＢ、ＷＢが形成されている。
【００１９】
以下、さらに前記生理用ナプキン１の構造について詳述すると、
前記不透液性バックシート２は、ポリエチレン等の少なくとも遮水性を有するシート材が用いられるが、近年はムレ防止の観点から透湿性を有するものが用いられる傾向にある。この遮水・透湿性シート材としては、ポリエチレンやポリプロピレン等のオレフィン系樹脂中に無機充填剤を溶融混練してシートを成形した後、一軸または二軸方向に延伸することにより得られる微多孔性シートが好適に用いられる。前記不透液性バックシート２の非使用面側（外面）には１または複数条の粘着剤層（図示せず）が形成され、身体への装着時に生理用ナプキン１を下着に固定するようになっている。前記不透液性バックシート２としては、プラスチックフィルムと不織布とを積層させたポリラミ不織布を用いてもよい。
【００２０】
次いで、前記透液性トップシート３は、有孔または無孔の不織布や多孔性プラスチックシートなどが好適に用いられる。不織布を構成する素材繊維としては、ポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、メルトブローン法、ニードルパンチ法等の適宜の加工法によって得られた不織布を用いることができる。これらの加工法の内、スパンレース法は柔軟性、ドレープ性に富む点で優れ、サーマルボンド法は嵩高でソフトである点で優れている。前記透液性トップシート３に多数の透孔を形成した場合には、経血やおりもの等（以下、まとめて体液という。）が速やかに吸収されるようになり、ドライタッチ性に優れたものとなる。
【００２１】
前記吸収体４としては、体液を吸収・保持し得るものであれば良く、通常はフラッフ状パルプ中に吸水性ポリマー粉末を混入したものが吸収機能および価格の点から好適に使用される。前記吸収体４は形状保持等のためにクレープ紙５によって囲繞するのが望ましい。
【００２２】
前記吸収体４の使用面側には、幅方向中央部にナプキン長手方向に細長く、かつ周方向に閉合しているエンボス８によって区画される領域に、使用面側に高い吸収体の中高部６が形成されている。この中高部６の厚みは、厚くし過ぎると吸収体４の剛性が上がり身体への密着性が低下するため３〜２０mm、好ましくは５〜１５mmとするのが好ましい。また、使用面側には前記エンボス８とともに、エンボス９，１０がそれぞれ形成されている。
【００２３】
一方、前記透液性トップシート３の幅寸法は、図示例では、図２および図３の横断面図に示されるように、吸収体４の幅よりも若干長めとされ、吸収体４を覆うだけに止まり、前記立体ギャザーＢＳは前記透液性トップシート３とは別のサイド不織布７、具体的には経血やおりもの等が浸透するのを防止する、あるいは肌触り感を高めるなどの目的に応じて、適宜の撥水処理または親水処理を施した不織布素材を用いて構成されている。かかるサイド不織布７としては、天然繊維、合成繊維または再生繊維などを素材として、適宜の加工法によって形成されたものを使用することができるが、好ましくはゴワ付き感を無くすとともに、ムレを防止するために、坪量を抑えて通気性を持たせた不織布を用いるのがよい。具体的には、坪量を１８〜２３g/m２として作製された不織布を用いるのが望ましく、かつ体液の透過を確実に防止するためにシリコン系、パラフィン系、アルキルクロミッククロリド系撥水剤などをコーティングした撥水処理不織布が好適に使用される。
【００２４】
前記サイド不織布７は、図２および図３に示されるように、幅方向中間部より外側部分を吸収体４の内側位置から吸収体側縁を若干越えて不透液性バックシート２の外縁までの範囲に亘ってホットメルトなどの接着剤によって接着し、これら前記サイド不織布７と不透液性バックシート２との積層シート部分により、ほぼ体液排出部Ｒに相当する吸収体側部位置に左右一対のウイングフラップＷ、Ｗを形成するとともに、これより臀部側位置に第２ウイング状フラップＷＢ、ＷＢを形成している。これらウイング状フラップＷ、Ｗおよび第２ウイング状フラップＷＢ、ＷＢの外面側にはそれぞれ粘着剤層１２…，１３…を備え、ショーツに対する装着時に、前記ウイング状フラップＷ、Ｗが折返し線ＲＬ位置にて反対側に折り返し、ショーツのクロッチ部分に巻き付けて止着するようになっている。
【００２５】
一方、前記サイド不織布７の内方側部分はほぼ二重に折り返されるとともに、この二重シート内部に、その高さ方向中間部に両端または長手方向の適宜の位置が固定された糸状弾性伸縮部材２６が配設されるとともに、前記糸状弾性伸縮部材２６の上側部位に複数本の、図示例では２本の糸状弾性伸縮部材２７，２７が両端または長手方向の適宜の位置が固定された状態で配設されている。この二重シート部分は前後端部では図３に示されるように、断面Ｚ状に折り畳んで積層された状態で吸収体４側に接着されることによって、前記糸状弾性伸縮部材２６配設部位を屈曲点として、断面く字状に内側に開口を向けたポケット空間Ｐ、Ｐを形成しながら表面側に起立する立体ギャザーＢＳ、ＢＳが形成されている。
【００２６】
〔ポケットシートの構造〕
図１等に示されるように、前記生理用ナプキン１の後側部分においては、前記透液性表面シート３の上面側に覆うように、体液排出部Ｒ側に開口するポケット空間ＰＢを形成するためのポケットシート１４が設けられている。前記ポケットシート１４は、図示例では前記生理用ナプキン１の後側部分の外形線と一致する周部側外形線１４ａ及びナプキン幅方向を横断する開口側外形線１４ｂによって画成される形状寸法とされる。前記開口側外形線１４ｂの位置は、後部側に流れた体液がサイド不織布７が断面Ｚ状に折り畳んで積層された部分（立体ギャザーＢＳの非起立部分）を越流して横漏れするのを防止するために、前記立体ギャザーＢＳの起立区間の終端近傍（後端近傍）、具体的には立体ギャザーＢＳの起立区間の終端位置から±２０mm、好ましくは±１０mmの範囲に位置するようにするのが望ましい。
【００２７】
前記ポケットシート１４の接着領域については、ポケット空間ＰＢを形成するように周囲がナプキンに接着されていればよい（斜線範囲）。図示例では、ポケットシート１４の幅方向両端部分は、吸収体４よりも外方に位置する側部フラップ（第２ウイング状フラップＷＢ）の上面に接着され、該第２ウイング状フラップＷＢ上から起立している。また、前記ポケットシート１４の後部側中間部分は、実質的に吸収体４の上面から起立するようになっている。
【００２８】
前記ポケット空間ＰＢは、捕捉された体液が外側に流出しないように完全に封じ込めるようにすることもできるが、捕捉された体液が外部に流出する速度を低減するようにすれば、吸収体４によって吸収されるようになるため、前記ポケットシート１４の素材としては、前記ポケット空間ＰＢとしての捕捉機能を完全に失うような透水性シート以外のすべてのシート材料を使用することができる。
【００２９】
具体的に挙げると、(1)吸収性を有するシート材料、例えば素材自体が吸水性を有する繊維を用いた不織布や親水処理を施した不織布、更には、吸収性材料をプラスチックフィルムに積層させた複層シートなどを使用することができる。この場合、前記吸収性材料としては、エアレイド吸収体、高吸水性樹脂を多く混入した薄型のＳＡＰシートなどを挙げることができる。また、前記吸収性材料を覆うように開口フィルムを積層するようにしてもよい。(2)若干の透水性を有する不織布、例えばポリオレフィン系繊維を用いた不織布、撥水処理を施した撥水処理不織布などを使用することができる。(3)遮水性を有するシート材料、例えばプラスチックフィルム又はラミネート不織布を使用することができる。特にラミネート不織布を使用する場合は、不織布面側を肌面側とし、プラスチックフィルム側を吸収面側として配置することにより、肌触りが良好となり防漏性にも優れるようになる。この場合、不織布としては、親水性又は撥水性のいずれでもよいが、好ましくは吸水性を有する親水性不織布の方が望ましい。また、前記プラスチックフィルムは単独で使用する場合及びラミネート不織布で使用する場合において、非通気性フィルムを用いてもよいし、通気性フィルムを用いてもよいが、蒸れ改善の点で通気性フィルムを用いた方が望ましい。
【００３０】
前記ポケットシート１４には、前記ポケット空間ＰＢを開口させるために幅方向中央にナプキン長手方向に沿って配設された１条の開口用弾性伸縮部材１５を備えている。前記開口用弾性伸縮部材１５は、一端側をポケットシート１４の接着領域に至る領域（斜線範囲）まで延在させ、他端側を好ましくはポケットシート１４の開口側外形線１４ｂの近傍位置まで延在させて配置するのが望ましく、ナプキン長手方向に沿う弾性伸縮力の作用によって、図３及び図４に示すように、ポケットシート１４の開口側外形線１４ｂ側を起立させ、前記ポケット空間ＰＢを開口させる。従って、後漏れする体液をポケットシート１４の上面から越流させることなく、確実に捕捉できるようになる。
【００３１】
前記開口用弾性伸縮部材１５の配置態様は、図５(A)に示されるように、ポケットシート１４の中央部分に小幅の折り畳み部分１４ｃを形成し、この折り畳み部分１４ｃの間に開口用弾性伸縮部材１５を介在させた状態で対向面同士をホットメルト接着剤によって接着することにより配置することができる。他の態様を示せば、図５(B)に示されるように、ポケットシート１４の中央部分に小幅の折り畳み部分１４ｃを形成し、この折り畳み部分１４ｃの間に周面にホットメルト接着剤塗布した開口用弾性伸縮部材１５を配置するようにしてもよい。この場合は、ポケットシート１４に対するホットメルト接着剤の塗布工程を省略することができる。また、図５(C)に示される態様は、前記小幅の折り畳み部分１４ｃをポケットシート１４の裏面側に形成した例であり、図５(D)に示される形態例は、ポケットシート１４の裏面側に小幅の不織布１６を積層させ、この間に開口用弾性伸縮部材１５を配置した例であり、図５(E)に示される形態例は、ポケットシート１４を二層の積層不織布とし、これら両層の間に開口用弾性伸縮部材１５を介在した例である。
【００３２】
前記開口用弾性伸縮部材１５は、本形態例ではポケットシート１４の幅方向中央に１条配置としたが、幅方向に間隔をおいて複数条配設するようにしてもよい。
【００３３】
前記ポケットシート１４の接着態様としては種々の変形例を挙げることができる。以下に具体的に示すと、
【００３４】
(1)図１に示される形態例では、前記ポケットシート１４の後部側中間部分は、実質的に吸収体４上から起立させるようにしたが、図６に示されるように、後部側部分についても、吸収体４の存在しないフラップ部分から起立させるようにしてもよい。
【００３５】
(2)図１に示される形態例では、ポケットシート１４の幅方向両端部分を、吸収体よりも外方に位置する側部フラップ（第２ウイング状フラップＷＢ）の上面に接着するようにしたが、図７に示されるように、さらに側部フラップと共に立体ャザーＢＳの折り畳み部分の上面に対しても接着するようにしてもよい（接着領域１７）。この場合は、ポケットシート１４を開口させることによって生じた張力がフラップ領域まで及ばないため、第２ウイング状フラップＷＢのヨレを解消できるようになる。
【００３６】
(3)図１に示される形態例では、ポケット空間ＰＢの平面形状が矩形状となるように、ポケットシート１４を接着したが、図８に示されるように、前記ポケット空間ＰＢの平面形状が開口側で幅広となる台形状となるように前記ポケットシート１４を接着するようにしてもよい。この場合は、ポケットシート１４によるポケット空間ＰＢの開口が大きく形成できるようになる。
【００３７】
(4)図１、図６〜図８に示される形態例は、ポケットシート１４を面状に接着したが、図９に示されるように、線状接着ライン１８Ａ〜１８Ｃの組合せによって接着するようにしてもよい。なお、図９の例ではポケットシート１４の外形状はナプキンの外形線と一致することなく台形状に形成されている。
【００３８】
〔ポケット空間ＰＢを開口させる他の形態例〕
(1)上記形態例では、前記ポケットシート１４に対して前記ポケット空間ＰＢを開口させるためにナプキン長手方向に沿って配設された開口用弾性伸縮部材１５を設けるようにしたが、ポケット空間ＰＢの開口手段としては、図１０に示されるように、平面視で体液排出部Ｒ側に凸状となる曲線で配設された弾性伸縮部材１９とすることも可能である。この場合も、前記弾性伸縮部材１９は、両端部をポケットシート１４の接着領域（斜線範囲）まで延在させ、中央部をポケットシート１４の開口側外形線１４ｂの近傍位置となるように配置するのが望ましく、弾性伸縮力の作用によって、ポケットシート１４の開口側外形線１４ｂ側を起立させ、前記ポケット空間ＰＢを開口させることができる。
【００３９】
(2)また、図１１に示されるように、平面視で体液排出部Ｒ側に凹状となる曲線で配設された弾性伸縮部材２０を設けることも可能である。この場合も、前記弾性伸縮部材２０は、中央部をポケットシート１４の接着領域（斜線範囲）まで延在させ、両端部をポケットシート１４の開口側外形線１４ｂの近傍位置となるように配置するのが望ましく、弾性伸縮力の作用によって、ポケットシート１４の開口側外形線１４ｂ側を起立させ、前記ポケット空間ＰＢを開口させることができる。
【００４０】
(3)さらに、図１２に示されるように、平面視でハ字状で配置された弾性伸縮部材２１ａ、２１ｂを開口手段としたり、図１３に示されるように、平面視で逆ハ字状で配置された弾性伸縮部材２２ａ、２２ｂを開口手段とすることも可能である。この場合においても、ナプキン後部側端部は接着領域（斜線範囲）まで延在させて固定端となるようにするのが望ましい。
(4)上記形態例ではナプキンの後部側にポケットシート１４によるポケット空間ＰＢを形成したが、図１４に示されるように、ナプキン１の前側部分にもポケットシート２３によってポケット空間ＰＢを形成するようにしてもよい。
【００４１】
(5)上記形態例では、立体ギャザーＢＳを有するナプキン１に本発明を適用したが、図１５に示されるように、立体ギャザーを有しないナプキン１’に対しても同様に適用が可能である。なお、立体ギャザーＢＳを有するナプキン１に対して適用する場合も、立体ギャザーＢＳの構造形式は任意である。
【００４２】
(6)上記形態例では、開口用弾性伸縮部材１５を直線状に配置したが、図１６に示されるように、折り畳み部分１４ｃを幅広に形成し、この範囲内で下側に凸となる曲線で前記開口用弾性伸縮部材１５を配置することも可能である。
【図面の簡単な説明】
【００４３】
【図１】本発明の生理用ナプキン１の展開図である。
【図２】その横断面図（図１のII−II線矢視図）である。
【図３】その横断面図（図１のIII−III線矢視図）である。
【図４】その横断面図（図１のIV−IV線矢視図）である。
【図５】(A)〜(E)はそれぞれ開口用弾性伸縮部材１５の配置態様を示す図である。
【図６】ポケットシート１４の接着態様の変形例を示す要部平面図である。
【図７】ポケットシート１４の接着態様の変形例を示す要部平面図である。
【図８】ポケットシート１４の接着態様の変形例を示す要部平面図である。
【図９】ポケットシート１４の接着態様の変形例を示す要部平面図である。
【図１０】ポケット空間ＰＢの他の開口手段を示すナプキン平面図である。
【図１１】ポケット空間ＰＢの他の形成態様を示すナプキン平面図である。
【図１２】ポケット空間ＰＢの他の形成態様を示すナプキン平面図である。
【図１３】ポケット空間ＰＢの他の形成態様を示すナプキン平面図である。
【図１４】ナプキン前側部にもポケットシート１４を配置した場合の例を示す平面図である。
【図１５】立体ギャザーを有しないナプキン１’への適用を示す平面図である。
【図１６】開口用弾性伸縮部材１５の変形例を示す要部断面図である。
【図１７】従来の生理用ナプキンの展開図である。
【符号の説明】
【００４４】
１…生理用ナプキン、２…不透液性バックシート、３…透液性トップシート、４…吸収体、５…クレープ紙、６…中高部、７…サイド不織布、８…エンボス、１４・２３…ポケットシート、１５・１９〜２２ａ・２２ｂ…開口用弾性伸縮部材、ＢＳ…立体ギャザー、Ｗ…ウイング状フラップ、ＷＢ…臀部側ウイング状フラップ
【図１】
0004756588.tif 000002
【図２】
0004756588.tif 000003
【図３】
0004756588.tif 000004
【図４】
0004756588.tif 000005
【図５】
0004756588.tif 000006
【図６】
0004756588.tif 000007
【図７】
0004756588.tif 000008
【図８】
0004756588.tif 000009
【図９】
0004756588.tif 000010
【図１０】
0004756588.tif 000011
【図１１】
0004756588.tif 000012
【図１２】
0004756588.tif 000013
【図１３】
0004756588.tif 000014
【図１４】
0004756588.tif 000015
【図１５】
0004756588.tif 000016
【図１６】
0004756588.tif 000017
【図１７】
0004756588.tif 000018